(57)【特許請求の範囲】
【請求項１】
棚前後幅方向に並べて立設される一対の支柱の夫々に棚横幅方向に突出する姿勢で取り付けられる前後一対の腕木と、それら一対の腕木夫々に前後端部が載置支持される状態で連結される長尺状の物品受け材とから構成される収納棚用の物品載置体であって、
前記一対の腕木のうちの一方側の腕木と前記物品受け材とが固定連結され、他方側の腕木の先端部と前記物品受け材の横幅方向での先端部とが、前記腕木を前記物品受け材の長手方向に対して直交する方向に向ける棚取付姿勢と前記腕木を前記物品受け材からその長手方向に突出させる非棚取付姿勢とに切換えることができるように、上下方向に沿う軸心周りで相対回転自在に連結され、
前記物品受け材の横幅方向での基端部に形成の被係合部にその受け材の浮き上がりを阻止するように係合する係合部が、前記非棚取付姿勢から前記棚取付姿勢への回転によって係合する形態で前記他方側の腕木に形成されている収納棚用の物品載置体。
【請求項２】
前記物品受け材が板状体にて構成されて、前記被係合部が、前記物品受け材における被係合部形成部分を下方側に向けて舌片状に切り出し形成して構成され、
前記係合部が、前記舌片状の被係合部と前記物品受け材の下面との間に入り込む板状に構成されている請求項１記載の収納棚用の物品載置体。
【請求項３】
前記物品受け材が、横幅方向の先端部に下方側への折曲げ部を備えた板状体にて構成され、
前記一方側の腕木と前記物品受け材との固定連結が、前記折曲げ部の裏面を前記腕木の先端部に当て付けた状態で前記折曲げ部を前記腕木に連結具によって固定連結し且つ前記物品受け材の横幅方向での基端部に形成の被係止部にその受け材の浮き上がりを阻止するように前記腕木に形成の係止部を係合させることにより行われている請求項１又は２に記載の収納棚用の物品載置体。
【請求項４】
前記被係止部が、前記物品受け材における被係止部形成部分を下方側に向けて舌片状に切り出し形成して構成され、
前記係止部が、前記舌片状の被係止部と前記物品受け材の下面との間に入り込む板状に構成されている請求項３記載の収納棚用の物品載置体。
【発明の詳細な説明】
【技術分野】
【０００１】
本発明は、棚前後幅方向に並べて立設される一対の支柱の夫々に棚横幅方向に突出する姿勢で取り付けられる前後一対の腕木と、それら一対の腕木夫々に前後端部が載置支持される状態で連結される長尺状の物品受け材とから構成される収納棚用の物品載置体に関する。
【背景技術】
【０００２】
かかる収納棚用の物品載置体は、収納棚を設置するのに用いられるものであって、一般には、棚前後幅方向に並べて立設される一対の支柱の組が、棚横幅方向に複数並設されることになり、そして、それら一対の支柱のうちの棚横幅方向の端部に位置する一対の支柱には、棚横幅方向の一方側にのみ隣接して位置する一対の支柱側に向ける片側突出状態で物品載置体が取り付けられ、他の一対の支柱の夫々には、棚横幅方向両側に位置する一対の支柱に向ける両側突出状態で物品載置体が取り付けられ、隣接する一対の支柱の組の間に位置する一対の物品載置体により、パレット等の物品を載置支持するように用いられることになる。ちなみに、一対の物品載置体の間は、物品移載用のフォークが通過する間隔が開けられることになり、また、物品載置体が上下方向に複数並ぶように設けられて、物品を複数段に載置支持することになる。
【０００３】
ところで、収納棚を設置するにあたり、工場等にて製作した支柱や物品載置体を収納棚の設置箇所に搬送して、収納棚を組み立てることが行われる。つまり、支柱を設置箇所にて立設し、その立設した支柱に物品載置体を取り付けることになる。
このように収納棚を設置箇所にて組み立てるようにするにあたり、支柱や物品載置体の搬送を効率良く行えることが望まれるものとなる。
そして、物品載置体の搬送を効率良く行うために、従来では、一対の腕木のうちの一方側の腕木と物品受け材とが固定連結され、他方側の腕木の先端部と物品受け材とが、腕木を物品受け材の長手方向に対して直交する方向に向ける棚取付姿勢と腕木を物品受け材からその長手方向に突出させる非棚取付姿勢とに切換えることができるように、上下方向に沿う軸心周りで相対回転自在に連結されるものがあった。
【０００４】
つまり、物品載置体を搬送する場合において、他方側の腕木を非取付姿勢に切換えることにより、物品載置体を略Ｌ字状にすることができるため、略Ｌ字状の物品載置体の内側や外側に沿わせて、他の略Ｌ字状の物品載置体を位置させる形態で、多数の物品載置体をコンパクトに並べることができるものとなるのであり、例えば運搬車に積載して搬送する際において、上記の形態で多数の物品載置体を並べるようにすれば、搬送効率を高めることができるものとなる（例えば、特許文献１参照。）。
【０００５】
【特許文献１】特開２００４−８３２６５号公報
【発明の開示】
【発明が解決しようとする課題】
【０００６】
ところで、物品載置体における物品受け材の横幅を幅広にして、載置される物品の位置が棚横幅方向に変化しても的確に載置できるようにする等、物品受け材の横幅を幅広にすることが望まれる場合がある。つまり、物品の一例としての、有底角筒状の容器本体の四隅の夫々に脚部を備えさせた脚付容器を収納するための収納棚を設置する場合において、載置される脚付容器の位置が棚横幅方向に変化しても脚部を物品受け材にて的確に載置できるようにするために、物品受け材の横幅を幅広にする等、物品受け材の横幅を幅広にすることが望まれる場合がある。
【０００７】
このように、物品受け材の横幅を幅広にする場合において、従来と同じ構成を用いて、単に物品受け材の横幅を幅広にすると、物品受け材は、その横幅が広いにも拘わらず、他方側の腕木に対して、その横幅方向における一箇所にて上下方向に沿う軸心周りで相対回転自在に連結される形態となるため、物品を物品受け材に載置した場合において、物品受け材が他方側の腕木に対して浮き上がりを生じるものとなり、長期間に亘って物品を物品受け材に載置することを繰り返すと、物品受け材に変形を生じて、物品受け材の高さが変化する等により、物品を長期間に亘って良好に物品載置体に載置することができない虞があった。
ちなみに、他方側の腕木と物品受け材とをボルト等を用いて締め付け固定することにより、物品受け材の浮き上がりを回避することも考えられるが、収納棚を組み立てるときの手間が増えて、収納棚を迅速に組み立て難いものとなり、実用し難いものとなる。尚、物品受け材を厚さが厚い板材を用いて形成して、浮き上がりや変形損傷を回避することも考えられるが、製作コストの上昇等の不利があり、実用できないものとなる。
【０００８】
本発明は、上記実状に鑑みて為されたものであって、その目的は、搬送効率を向上させることができ、しかも、物品受け材の横幅を広くするものでありながらも、組付作業性の低下を招くことなく、長期間に亘って良好に物品を載置支持することができる収納棚用の物品載置体を提供する点にある。
【課題を解決するための手段】
【０００９】
本発明の収納棚用の物品載置体は、棚前後幅方向に並べて立設される一対の支柱の夫々に棚横幅方向に突出する姿勢で取り付けられる前後一対の腕木と、それら一対の腕木夫々に前後端部が載置支持される状態で連結される長尺状の物品受け材とから構成されるものであって、
その第１特徴構成は、前記一対の腕木のうちの一方側の腕木と前記物品受け材とが固定連結され、他方側の腕木の先端部と前記物品受け材の横幅方向での先端部とが、前記腕木を前記物品受け材の長手方向に対して直交する方向に向ける棚取付姿勢と前記腕木を前記物品受け材からその長手方向に突出させる非棚取付姿勢とに切換えることができるように、上下方向に沿う軸心周りで相対回転自在に連結され、
前記物品受け材の横幅方向での基端部に形成の被係合部にその物品受け材の浮き上がりを阻止するように係合する係合部が、前記非棚取付姿勢から前記棚取付姿勢への回転によって係合する形態で前記他方側の腕木に形成されている点にある。
【００１０】
上記第１特徴構成によれば、物品載置体を搬送する場合において、他方側の腕木を非取付姿勢に切換えることにより、物品載置体を略Ｌ字状にすることができるため、略Ｌ字状の物品載置体の内側や外側に沿わせて、他の略Ｌ字状の物品載置体を位置させる形態で、多数の物品載置体をコンパクトに並べることができるものとなるのであり、例えば運搬車に積載して搬送する際において、上記の形態で多数の物品載置体を並べるようにすれば、搬送効率を高めることができるものとなる。
【００１１】
そして、収納棚用の物品載置体を一対の支柱に取り付ける場合において、他方側の腕木を棚取付姿勢に切り換えることにより、他方側の腕木に形成されている係合部が、物品受け材の横幅方向での基端部に形成されている被係合部に物品受け材の浮き上がりを阻止するように係合することにより、他方側の腕木と物品受け材とが連結される連結箇所が、物品受け材の横幅方向での先端部及び基端部の２箇所に存在することになるので、物品を物品受け材に載置した場合において、物品受け材の横幅が幅広に形成した場合であっても、物品受け材が他方側の腕木に対して浮き上がりを生じることを防止できるものとなり、物品載置体が変形するのを抑制して、物品を長期間に亘って良好に物品載置体に載置することができるものとなる。
【００１２】
しかも、他方側の腕木を、非棚取付姿勢から棚取付姿勢へ回転させることによって、他方側の腕木に形成されている係合部を、物品受け材の横幅方向での基端部に形成されている被係合部に係合させるものであり、係合部と被係合部との係合のために特別な作業を必要としないものであるから、組み付け作業の低下を招くことが無い。
したがって、搬送効率を向上させることができ、しかも、物品受け材の横幅を広くするものでありながらも、組付作業性の低下を招くことなく、長期間に亘って良好に物品を載置支持することができる収納棚用の物品載置体を提供するに至った。
【００１３】
本発明の第２特徴構成は、前記物品受け材が板状体にて構成されて、前記被係合部が、前記物品受け材における被係合部形成部分を下方側に向けて舌片状に切り出し形成して構成され、
前記係合部が、前記舌片状の被係合部と前記物品受け材の下面との間に入り込む板状に構成されている点を特徴とする。
【００１４】
上記第２特徴構成によれば、他方側の腕木を棚取付姿勢に切換えた状態において、他方側の腕木に形成されている板状の係合部が、物品受け材に下方側に向けて切り出し形成されている舌片状の被係合部の上面と物品受け材の下面との間に入り込むから、例えば、他方側の腕木の上面部を板状の係合部とすることにより、他方側の腕木に特別な加工を行なうこと無く、又、物品受け材を下方側に向けて舌片状に切り出し形成するだけの簡素な構成にて物品受け材が他方側の腕木に対して浮き上がるように変形することを防止することができる。
したがって、構成の簡素化を図る形態にて物品を長期間に亘って良好に物品載置体に載置することができ、物品載置体の強度が低下することを抑制することができる物品収納設備を提供するに至った。
【００１５】
本発明の第３特徴構成は、上記第１又は第２特徴構成に加えて、前記物品受け材が、横幅方向の先端部に下方側への折曲げ部を備えた板状体にて構成され、前記一方側の腕木と前記物品受け材との固定連結が、前記折曲げ部の裏面を前記腕木の先端部に当て付けた状態で前記折曲げ部を前記腕木に連結具によって固定連結し且つ前記物品受け材の横幅方向での基端部に形成の被係止部にその物品受け材の浮き上がりを阻止するように前記腕木に形成の係止部を係合させることにより行われている点を特徴とする。
【００１６】
上記第３特徴構成によれば、一方側の腕木と物品受け材とを固定連結する構成として、物品受け材の横幅方向での先端部に下方側への折曲げ部を備え、折曲げ部の裏面を腕木の先端部に当て付けた状態で折曲げ部を一方側の腕木に連結具によって固定連結するとともに、一方側の腕木に形成された係止部が物品受け材の横幅方向での基端部に形成された被係止部に係合するから、物品受け材の横幅方向での先端部に折り曲げ部を備えることにより、物品受け材に十分な強度を確保させながらも、物品受け材の横幅方向の先端部に備えられた折曲げ部を一方側の腕木に固定連結するとともに、物品受け材の横幅方向での基端部に形成された被係止部に一方側の腕木に形成された係止部を係合させることにより、一方側の腕木と物品受け材とを固定連結することが可能となる。
【００１７】
したがって、物品受け材に十分な強度を確保させながらも、一方側の腕木と物品受け材とを固定連結することが可能となる収納棚用の物品載置体を提供するに至った。
【００１８】
本発明の第４特徴構成は、上記第３特徴構成に加えて、前記被係止部が、前記物品受け材における被係止部形成部分を下方側に向けて舌片状に切り出し形成して構成され、前記係止部が、前記舌片状の被係止部と前記物品受け材の下面との間に入り込む板状に構成されている点を特徴とする。
【００１９】
上記第４特徴構成によれば、一方側の腕木に形成されている板状の係止部が、物品受け材に下方側に向けて切り出し形成されている舌片状の被係合部の上面と物品受け材の下面との間に入り込むから、例えば、一方側の腕木の上面部を板状の係止部とすることにより、一方側の腕木に特別な加工を行なうこと無く、又、物品受け材を下方側に向けて舌片状に切り出し形成するだけの簡素な構成にて一方側の腕木と物品受け材とを固定連結することが可能となる。
したがって、構成の簡素化を図る形態にて一方側の腕木と物品受け材とを固定連結することが可能となる収納棚用の物品載置体を提供するに至った。
【発明を実施するための最良の形態】
【００２０】
以下、図面に基づいて、本発明に係る収納棚用の物品載置体を物品保管設備に適用した場合について説明する。
図１〜図３に示すように、物品保管設備１は、２つの物品収納棚２が通路Ｔを隔てて配設され、その２つの物品収納棚２の間に設けられた通路Ｔに、物品収納棚２にボックスパレットＰを入出庫するためのスタッカクレーン３が配設されている。物品収納棚２には、上下方向並びに棚横幅方向に沿って並ぶ複数の物品収納部９が設けられている。前記ボックスパレットＰは、有底角筒状の容器本体の四隅の夫々に脚部を備えさせた脚付容器である。
【００２１】
前記スタッカクレーン３は、通路Ｔに設置された床レール４上を往復走行自在な走行台車５、走行台車５に立設された一対のマスト６、一対のマスト６を昇降自在に設けられた昇降台７、昇降台７上に出退自在に設けられたフォーク装置８を備えて構成され、走行台車５を移動させ、昇降台７を昇降させ、フォーク装置８を出退させることにより、物品収納棚２に設けられた物品収納部９にボックスパレットＰを入出庫するように構成されている。
【００２２】
前記物品収納棚２は、棚前後幅方向に並べて立設される一対の支柱１６を棚横幅方向に複数並べ、各一対の支柱１６を斜杆１７にて連結させ、各一対の支柱１６のうち、物品出し入れ側に位置する一方側の支柱１６ａとは反対側に位置する他方側の支柱１６ｂ同士を、棚横幅方向に沿う複数の梁部材１８にて連結させ、物品載置部ＢＳ（物品載置体の一例）を各一対の支柱１６の夫々に棚横幅方向に突出する姿勢で取り付けて構成されている。
【００２３】
前記一対の支柱１６は、図４〜図６に示すように、凹入部２１が設けられた外板２２と、この外板２２の両端部から相対向する方向に延びる一対の側板２３と、これら側板２３の端部から幅を狭くする方向に延びる一対の内板２４と、これら内板２４の端部から相対向する方向に延びる一対の連結板２５とからなり、一方側の支柱１６ａに設けられた一対の連結板２５と斜杆１７の一端部とが連結材２６を介して連結されるとともに、他方側の支柱１６ｂに設けられた一対の連結板２５と斜杆１７の他端部とが連結材２６を介して連結されることにより、一対の支柱１６同士が連結されるようになっている。又、外板２２には、スリット状の貫通孔２７および矩形状の貫通孔２８が上下方向に複数形成されている。
【００２４】
前記物品載置部ＢＳは、図４〜図８に示すように、一対の支柱１６の夫々に棚横幅方向に突出する姿勢で取り付けられる前後一対の腕木３１と、それら一対の腕木３１夫々に前後端部が載置支持される状態で連結される腕木ビーム３２（長尺状の物品受け材の一例）とからなり、一対の腕木３１のうちの一方側の腕木３１ａと腕木ビーム３２とが固定連結され、他方側の腕木３１ｂの先端部と腕木ビーム３２の横幅方向での先端部とが、腕木３１を腕木ビーム３２の長手方向に対して直交する方向に向ける棚取付姿勢と腕木３１を腕木ビーム３２からその長手方向に突出させる非棚取付姿勢とに切換えることができるように、上下方向に沿う軸心周りで相対回転自在に連結されている。
【００２５】
説明を加えると、前記一方側の腕木３１ａは、長尺状の支持部材３３の基端部に連結部材３４を接合させて構成されている。支持部材３３は、板状の側面部３３ａと、その側面部３３ａの上端からその側面部３３ａに垂直な方向に延びる板状の上面部３３ｂと、その側面部３３ａの下端からその側面部３３ａに垂直な方向に延びる板状の下面部３３ｃとからなり、断面形状が略コ字状に形成されている。長尺状の支持部材３３の先端部には、端面部３３ｄが形成されている。連結部材３４は、断面形状が略Ｌ字状のＬ字部材３４ａの端部にフック部材３４ｂを設けて構成され、Ｌ字部材３４ａには矩形状の被係合部３４ｃが設けられ、Ｌ字部材３４ａが一方側の支柱１６ａの側板２３および外板２２に当接するとともに、Ｌ字部材３４ａに設けられたフック部材３４ｂおよび被係合部３４ｃが一方側の支柱１６ａの外板２２に設けられたスリット状の貫通孔２７および矩形状の貫通孔２８に夫々係合されることにより、連結部材３４が一方側の支柱１６ａに取り付けられるようになっている。
【００２６】
前記他方側の腕木３１ｂは、一方側の腕木３１ａとほぼ同様の構成であり、長尺状の支持部材３７の基端部に連結部材３８を接合させて構成されている。支持部材３７は、板状の側面部３７ａと、その側面部の上端からその側面部に垂直な方向に延びる板状の上面部３７ｂと、その側面部の下端からその側面部に垂直な方向に延びる板状の下面部３７ｃとからなり、横断面形状が略コ字状に形成されている。長尺状の支持部材３７の先端部には、端面部３７ｄが形成されている。連結部材３８は、断面形状が略Ｌ字状のＬ字部材３８ａの端部にフック部材３８ｂを設けて構成され、Ｌ字部材３８ａには矩形状の被係合部３８ｃが設けられ、Ｌ字部材３８ａが他方側の支柱１６ｂの側板２３および外板２２に当接するとともに、Ｌ字部材３８ａに設けられたフック部材３８ｂおよび被係合部３８ｃが他方側の支柱１６ｂの外板２２に設けられたスリット状の貫通孔２７および矩形状の貫通孔２８に夫々係合されることにより、連結部材３８が他方側の支柱１６ｂに取り付けられるようになっている。
【００２７】
前記腕木ビーム３２は、矩形の板状に構成された板状体４１の横幅方向の基端部に上方側への折曲げ部４２を備えるとともに、板状体４１の横幅方向の先端部に下方側への折曲げ部４３を備えて構成されている。板状体４１の前端部における横幅方向の基端部には、下方側に向けて舌片状に切り出し形成された一方側の爪部４４（被係止部の一例）が設けられ、板状体４１の後端部における横幅方向の基端部にも、同様な構成として下方側に向けて舌片状に切り出し形成された他方側の爪部４５（被係合部の一例）が設けられている。板状体４１の中央部から前端部側および後端部側寄りに位置する箇所の夫々には、ボックスパレットＰを腕木ビーム３２に載置した状態において、ボックスパレットＰの脚部４６の側面に当接してボックスパレットＰの位置決めを行なう突出片４７が、横幅方向に夫々並んだ状態で設けられている。
【００２８】
前記折曲げ部４３の裏面を一方側の腕木３１ａの先端部に形成されている端面部３３ｄに当て付けた状態で折曲げ部４３を一方側の腕木３１ａにリベット３６（連結具の一例）によって固定連結し、板状に形成された支持部材３３の上面部３３ｂが、板状体４１に下方側に向けて切り出し形成された一方側の爪部４４の上面と板状体４１の下面との間に入り込んで板状体４１の浮き上がりを阻止するように係合することにより、一方側の腕木３１ａと腕木ビーム３２との固定連結が行われるようになっている。尚、板状に形成された一方側の腕木３１ａの上面部３３ｂのうち一方側の爪部４４の上面と板状体４１の下面との間に入り込んだ部分５１が係止部に相当する。
【００２９】
前記他方側の腕木３１ｂの先端部と板状体４１の後端部における横幅方向の先端部とが、他方側の腕木３１ｂを腕木ビーム３２の長手方向に対して直交する方向に向ける棚取付姿勢と他方側の腕木３１ｂを腕木ビーム３２からその長手方向に突出させる非棚取付姿勢とに切換えることができるように、上下方向に沿う連結ピン４０の軸芯回りで相対回転自在に構成されている。これにより、上記非棚取付姿勢から上記棚取付姿勢への回転によって、板状に形成された支持部材３７の上面部３７ｂが、板状体４１に下方側に向けて切り出し形成された他方側の爪部４５の上面と板状体４１の下面との間に入り込んで板状体４１の浮き上がりを阻止するように係合するようになっている。尚、板状に形成された他方側の腕木３１ｂの上面部３７ｂのうち一方側の爪部４４の上面と板状体４１の下面との間に入り込んだ部分５２が係合部に相当する。
【００３０】
以上の構成により、ボックスパレットＰを横幅方向に幅広に形成された物品載置部ＢＳに載置した場合において、板状体４１の前端部における横幅方向での基端部、及び、板状体４１の前端部における横幅方向での先端部において、一方側の腕木３１ａに対する板状体４１の浮き上がりを生じることを防止するとともに、板状体４１の後端部における横幅方向での基端部、及び、板状体４１の後端部における横幅方向での先端部において、他方側の腕木３１ｂに対する板状体４１の浮き上がりを生じることを防止することができるものであり、その結果、腕木ビーム３２の前後端部における横幅方向の全体に亘って、一方側の腕木３１ａ及び他方側の腕木３１ｂに対する腕木ビーム３２の浮き上がりを生じることを防止でき、ボックスパレットＰを物品載置部ＢＳに繰り返し載置したとしても、物品受け材が変形することが無く、水平な物品載置部ＢＳに対してボックスパレットＰを良好に載置することができるものとなる。
【００３１】
物品載置部ＢＳを物品収納棚２の設置箇所に搬送し、物品載置部ＢＳを物品収納棚２の設置箇所にて立設された一対の支柱１６に取り付ける作用について説明する。
物品載置部ＢＳを運搬車両等にて運搬する際には、他方側の腕木３１ｂを腕木ビーム３２からその長手方向に突出させる非棚取付姿勢に切換えることにより、物品載置部ＢＳが略Ｌ字状に形成されることになる。そして、略Ｌ字状の物品載置部ＢＳの内側や外側に沿わせて、他の略Ｌ字状の物品載置部ＢＳを位置させる形態で、複数の物品載置部ＢＳを運搬車両等の荷台に並べることにより、多数の物品載置部ＢＳを運搬車両等の荷台にコンパクトに並べることができるので、物品載置部ＢＳの搬送効率を高めることができるものとなる。
【００３２】
そして、物品載置部ＢＳを一対の支柱１６に取り付ける際には、一方側の腕木３１ａに設けられたフック部材３４ｂおよび被係合部３４ｃを一方側の支柱１６ａに設けられたスリット状の貫通孔２７および矩形状の貫通孔２８に挿入させ、他方側の腕木３１ｂを回転によって非棚取付姿勢から棚取付姿勢に切換えて、他方側の腕木３１ｂに設けられたフック部材３８ｂおよび被係合部３８ｃを他方側の支柱１６ｂに設けられたスリット状の貫通孔２７および矩形状の貫通孔２８に挿入させると、板状に形成された他方側の腕木３１ｂの上面部３７ｂが、板状体４１に下方側に向けて切り出し形成された他方側の爪部４５の上面と板状体４１の下面との間に入り込んで板状体４１の浮き上がりを阻止するように係合することになる。そして、一対の支柱１６に対して物品載置部ＢＳを下降させると、一方側の腕木３１ａに設けられたフック部材３４ｂおよび被係合部３４ｃが一方側の支柱１６ａに設けられたスリット状の貫通孔２７および矩形状の貫通孔２８に夫々係合されるとともに、他方側の腕木３１ｂに設けられたフック部材３８ｂおよび被係合部３８ｃが他方側の支柱１６ｂの外板２２に設けられたスリット状の貫通孔２７および矩形状の貫通孔２８に夫々係合されることにより、物品載置部ＢＳが一対の支柱１６に取り付けられるようになっている。
【００３３】
このように、他方側の腕木３１ｂを回転によって非棚取付姿勢から棚取付姿勢に切換えると、板状に形成された他方側の腕木３１ｂの上面部３７ｂが、板状体４１に切り出し形成された他方側の爪部４５の上面と板状体４１の下面との間に入り込んで係合することになり、ボルトナットにて他方側の腕木３１ｂと板状体４１とを連結させたりする作業を必要としないものであるから、組み付け作業の低下を招くことが無いものとなる。
ちなみに、物品載置部ＢＳを一対の支柱１６に取り付ける操作とは逆の操作を行なうことにより、物品載置部ＢＳを一対の支柱１６から取り外すことが可能となっている。
【００３４】
〔別実施の形態〕
（１）上記実施の形態では、一方側の腕木３１ａに設けられたフック部材３４ｂおよび被係合部３４ｃを一方側の支柱１６ａに設けられたスリット状の貫通孔２７および矩形状の貫通孔２８に挿入させ、他方側の腕木３１ｂを回転によって非棚取付姿勢から棚取付姿勢に切換えて、他方側の腕木３１ｂに設けられたフック部材３８ｂおよび被係合部３８ｃを他方側の支柱１６ｂに設けられたスリット状の貫通孔２７および矩形状の貫通孔２８に挿入させ、一対の支柱１６に対して物品載置部ＢＳを下降させてそれらを係合させることにより、物品載置部ＢＳを一対の支柱１６に取り付ける構成を例示したが、このような構成に限るものではない、例えば、一対の腕木３１の夫々に、筒状体を設けて、筒状体を一対の支柱１６に嵌め込むことにより、物品載置部ＢＳを一対の支柱１６に対して上下方向に移動自在に構成し、取り付け箇所にて筒状体を一対の支柱１６に固定することにより、物品載置部ＢＳを一対の支柱１６に取り付けるように構成してもよい。
【００３５】
（２）上記実施の形態では、折曲げ部４３を一方側の腕木３１ａに連結具３６によって固定連結し、一方側の腕木３１ａの上面部３３ｂに形成された係止部５１が、物品受け材３２に切り出し形成された被係止部４４の上面と物品受け材３２の下面との間に入り込んで物品受け材３２の浮き上がりを阻止するように係合することにより、一方側の腕木３１ａと物品受け材３２との固定連結が行われるようになっている構成を例示したが、このような構成に代えて、例えば、溶接等により一方側の腕木３１ａと物品受け材３２との固定連結が行われるように構成としてもよい。
【００３６】
（３）上記実施の形態では、被係合部４５が、物品受け材３２の被係合部形成部分を下方側に向けて舌片状に切り出し形成して構成され、係合部５２が、他方側の腕木３１ｂの上面部３７ｂに形成されている構成を例示したが、このような構成に代えて、被係合部４５が、他方側の腕木３１ｂの上面部３７ｂに上方側に向けて形成され、係合部５２が、物品受け材３２に設けられた係合孔にて構成されるようにしてもよい。
【００３７】
（４）上記実施形態では、物品受け材３２の横幅方向での基端部に被係合部４５を形成して係合部５２と係合される構成を例示したが、物品受け材３２の横幅方向での基端部に加えてそれ以外の部分にも被係合部４５を形成して係合部５２と係合されるものでもよく、例えば、物品受け材３２の横幅方向での中間部に被係合部４５を形成して係合部５２と係合されるものでもよく、あるいは、物品受け材３２の横幅方向での基端部と先端部との間に複数の被係合部４５を形成して複数の係合部５２の夫々と係合されるものであってもよい。
【００３８】
（５）上記実施形態では、物品受け材３２の横幅方向での基端部に被係止部４４を形成して係止部５１と係止される構成を例示したが、物品受け材３２の横幅方向での基端部に加えてそれ以外の部分にも被係止部４４を形成して係止部５１と係止されるものでもよく、例えば、物品受け材３２の横幅方向での中間部に被係止部４４を形成して係止部５１と係止されるものでもよく、あるいは、物品受け材３２の横幅方向での基端部と先端部との間に複数の被係止部４４を形成して複数の係止部５１の夫々と係止されるものであってもよい。
【図面の簡単な説明】
【００３９】
【図１】物品保管設備の全体斜視図
【図２】物品保管設備の全体平面図
【図３】物品保管設備の全体側面図
【図４】支柱及び物品載置部の全体斜視図
【図５】支柱及び物品載置部の全体平面図
【図６】支柱及び物品載置部の全体平面図
【図７】支柱及び物品載置部の全体側面図
【図８】腕木及び物品受け材の要部断面図
【符号の説明】
【００４０】
１６        支柱
３１        腕木
３１ａ      一方側の腕木
３１ｂ      他方側の腕木
３２        物品受け材
３６        連結具
４４        被係止部、被係止形成部分
４５        被係合部、被係合形成部分
５１        係止部
５２        係合部
【図１】
0004461384.tif 000002
【図２】
0004461384.tif 000003
【図３】
0004461384.tif 000004
【図４】
0004461384.tif 000005
【図５】
0004461384.tif 000006
【図６】
0004461384.tif 000007
【図７】
0004461384.tif 000008
【図８】
0004461384.tif 000009